(57)【要約】【課題】眼鏡と共に着用した場合に簡易な構成で眼鏡レンズの曇りを防止することができる衛生マスクを提供する。【解決手段】使用者の鼻孔及び口元を覆うマスク本体１１と、耳に掛けることにより前記マスク本体１１を使用者に固定する耳掛け部１３と、を有する衛生マスク１０において、前記マスク本体１１の上辺中央部に、使用者の鼻と頬の段差部に流れる空気を排出するための、一又は複数の通気部１４を備えることを特徴とする。【選択図】図１
2013172812.tif 000002
【特許請求の範囲】
【請求項１】
使用者の鼻孔及び口元を覆うマスク本体と、耳に掛けることにより前記マスク本体を使用者に固定する耳掛け部と、を有する衛生マスクにおいて、
前記マスク本体の上辺中央部に、使用者の鼻と頬の段差部に流れる空気を排出するための、一又は複数の通気部を備えることを特徴とする衛生マスク。
【請求項２】
前記通気部が、開口からなることを特徴とする請求項１に記載の衛生マスク。
【請求項３】
前記通気部が、開口と、該開口を覆うメッシュ素材からなることを特徴とする請求項１に記載の衛生マスク。
【請求項４】
前記通気部が、切り込みで形成した開口からなり、
前記切り込みが、呼気で開き吸気で閉じる弁となることを特徴とする請求項１に記載の衛生マスク。
【請求項５】
前記複数の通気部が、前記マスク本体の中心線に対して線対称に配置されることを特徴とする請求項１乃至４の何れか一項に記載の衛生マスク。
【発明の詳細な説明】
【技術分野】
【０００１】
本発明は、人体の鼻孔及び口元を覆う衛生マスクに係り、特に、眼鏡と共に着用した場合に眼鏡レンズの曇りを防止することが可能な衛生マスクに関する。
【背景技術】
【０００２】
従来から、ウィルスや花粉、埃等の異物の吸引防止や、ウィルスや細菌等の飛散防止、鼻腔及び口腔内の乾燥防止等の目的で、衛生マスクは広く用いられている。特に昨今では、アレルギー患者の増加や新型インフルエンザの流行等を受けて、季節を問わず公共の場でも衛生マスクの利用が進んでいる。
【０００３】
これまでの衛生マスクの問題点としては、眼鏡と共に着用した場合に、衛生マスクから漏れた呼気が眼鏡レンズを曇らせてしまうことが挙げられる。特に、近年では伸縮性の高い不織布を用いたマスクや立体構造のマスク等、使用者の顔にフィットする衛生マスクが増えると共に、衛生マスクを構成するマスク素地のフィルタ性能の向上が図られマスク内の気密性が高まったため、呼気の漏れは、鼻と頬の段差によって生じる隙間に集中するようになった。その結果、マスク内の呼気は鼻梁に沿って上部へ向かう流れとなって眼鏡方向へ向かうために、眼鏡レンズがより曇りやすくなっている。
【０００４】
そこで、様々な対策を講じた衛生マスクがこれまでに開発されている。例えば、使用者の鼻梁に当たるマスクの上辺中央位置に、容易に変形するワイヤーを挿入しておき、使用者が自身の鼻の形に合わせてワイヤーを曲げることにより、鼻周辺の隙間を塞ぐワイヤー入り衛生マスクがよく知られている。また、マスクの上部を折り返して鼻周辺の隙間を塞ぐものや、マスクの上辺中央にスポンジ等からなるパッドを設けたもの等も開発されている。
【０００５】
さらに、使用者の鼻孔や口元に近い位置に開口を設けて、この開口から呼気を逃がすことで眼鏡の曇りを防ぐ衛生マスクも知られている（例えば、特許文献１参照）。
【先行技術文献】
【特許文献】
【０００６】
【特許文献１】実公平７−１１５９号公報
【発明の概要】
【発明が解決しようとする課題】
【０００７】
しかしながら、上記従来のワイヤー入り衛生マスクでは、着用後の微妙なズレで再び隙間ができてしまうことも多く、またその他の鼻周辺の隙間を塞ぐタイプの衛生マスクでも、人それぞれ様々な鼻梁の太細や高低があるために、全ての人の隙間を完全に塞ぐことは非常に難しかった。また、隙間を塞ぐための部材を新たに設けるために構造が複雑化して高コスト化を招き、その結果使い捨てでの利用が躊躇われる価格になってしまう可能性があった。
【０００８】
さらにまた、鼻孔や口元に近い位置に開口を設ける衛生マスクでは、体内へのウィルス等の侵入経路であると共に体内にあるウィルス等の排出経路でもある鼻腔や口腔の近くに開口を設けることで、衛生マスクの性能が著しく下がる恐れがある。
【０００９】
そこで本発明は、上記従来の問題点に鑑みて、眼鏡と共に着用した場合に簡易な構成で眼鏡レンズの曇りを防止することができる衛生マスクを提供することを目的とする。
【課題を解決するための手段】
【００１０】
本発明は、上記課題を解決するために、使用者の鼻孔及び口元を覆うマスク本体と、耳に掛けることにより前記マスク本体を使用者に固定する耳掛け部と、を有する衛生マスクにおいて、前記マスク本体の上辺中央部に、使用者の鼻と頬の段差部に流れる空気を排出するための、一又は複数の通気部を備えることを特徴とする衛生マスクを提供する。
【００１１】
ここで、前記通気部は、開口から構成する。又は開口とその開口を覆うメッシュ素材から構成する。若しくは、切り込みで形成した開口から構成し、前記切り込みが、呼気で開き吸気で閉じる弁としても良い。
【００１２】
なお、複数の通気部は、前記マスク本体の中心線に対して線対称に配置されるのが好適である。
【発明の効果】
【００１３】
本発明の衛生マスクによれば、非常に簡易な構成により眼鏡と共に着用した場合でも眼鏡レンズの曇りを有効に防止することができる。この効果は、着用後のズレや使用者の鼻梁の太細や高低などに関わらず発揮することができる。また、構成が単純でありコストを低く抑えることができるため、使い捨てでの利用も可能とする。さらに、使用者の鼻孔や口元近傍ではなくマスク本体の上辺中央部、即ち鼻と頬の段差の近傍に通気部を設けることにより、衛生マスクとしての機能を維持したまま、眼鏡レンズの曇りを防止することができる。
【図面の簡単な説明】
【００１４】
【図１】本発明の一実施形態に係る衛生マスクの装着状態を示す外観図である。
【図２】図１に示す衛生マスクの全体概略図である。
【図３】図１に示す衛生マスクの通気部の断面模式図である。
【図４】図１に示す衛生マスクを折り畳んだ状態の模式図である。
【図５】本発明の衛生マスクにおける通気部の配置例を示す模式図である。
【図６】図１に示す衛生マスクの特徴を従来の衛生マスクに適用した状態を示す模式図である。
【図７】本発明の他の実施形態に係る衛生マスクの全体概略図である。
【図８】図７に示す衛生マスクの通気部の断面模式図である。
【図９】本発明のさらに他の実施形態に係る衛生マスクの全体概略図である。
【図１０】図９に示す衛生マスクの通気部の拡大模式図である。
【図１１】図９に示す衛生マスクの切り込みの形状例を示す模式図である。
【発明を実施するための形態】
【００１５】
以下、本発明の実施の形態について、図面を参照しながら詳細に説明する。
【００１６】
図１は、本発明の一実施形態に係る衛生マスクの装着状態を示す外観図である。また図２はその衛生マスクの全体概略図、図３は通気部の断面模式図である。
【００１７】
これらの図に示すように、本実施形態の衛生マスク１０は、使用者の鼻孔１０１及び口元１０２を覆うマスク本体１１と、耳に掛けることによりマスク本体１１を使用者に固定するための耳掛け部１３と、マスク本体１１に形成される通気部１４とから構成される。
【００１８】
マスク本体１１は、不織布やガーゼ等のマスク素地１２から構成される。またマスク本体１１には、通気部１４として開口が形成されている。通気部１４は、図１に示すように、使用者の鼻孔１０１よりも上部に位置するよう、マスク本体１１の上辺中央部に配置されている。
【００１９】
このように、マスク本体１１の上辺中央部に通気部１４として開口を設けることで、使用者の鼻と頬の段差部に流れる呼気等の空気を通気部１４から排出することができる。通気部１４から空気が排出されると、鼻と頬の段差によって生じるマスクの隙間から漏れる空気がその分減ると共に、排出される空気の流れも通気部１４によって分散され、眼鏡レンズの曇りを防止することが可能となる。
【００２０】
通気部１４は、一箇所のみ設けても良いし、複数個所（ここでは例として四つの通気部１４を図示）設けても良い。複数個所に設ける場合、図４に示すように衛生マスク１０を折り畳んだ状態で一度に形成できるよう、マスク本体１１の中心の折り畳み線１５に対称に通気部１４を配置する。折り畳み線１５が形成されていない衛生マスクの場合（例えば図６参照）も、通気部１４を中心線に対して線対称に配置して、製造工程の簡易化を図るのが望ましい。
【００２１】
なお、通気部１４は、使用者の鼻と頬の段差部に近接した位置に配置される必要があるため、少なくとも一つの通気部１４はマスク本体１１の上辺中央部に設ける。さらに複数の通気部１４を設ける場合は、図５（ａ）乃至図５（ｄ）に例を示すように、様々な場所に配置して良い。図５（ａ）は二つの通気部１４を設けたマスク本体１１Ａ、図５（ｂ）は、六つの通気部１４を並列に配置したマスク本体１１Ｂ、図５（ｃ）は、四つの通気部１４を二つずつ縦列に配置したマスク本体１１Ｃ、図５（ｄ）は、四つの通気部１４を二つずつ縦列に配置すると共に、左右の耳掛け部近傍にさらに通気部１４を一つずつ配置したマスク本体１１Ｄを示している。通気部１４は上記以外にも様々な箇所に配置して良い。
【００２２】
なお、鼻腔及び口腔周辺の加湿を主な目的とする衛生マスクの場合、保湿性能を維持しつつマスクの通気性を良くして息苦しさを解消するため、図５（ｅ）に示すようにマスク本体１１Ｅを構成するマスク素地（例えば、重ねた複数枚の不織布やガーゼ）の一部に開口を設けるようにしても良い。
【００２３】
本発明は、従来の様々な形状の衛生マスクに適用することができる。例えば、図６（ａ）はガーゼのマスク本体の端部に耳掛けを通した衛生マスク１０Ａに、図６（ｂ）では不織布がジャバラ状に折り込まれたマスク本体からなり、着用後にジャバラ部を拡げることができる衛生マスク１０Ｂに、それぞれ本発明を適用した例を示している。
【００２４】
なお、上記では通気部１４としてマスク本体１１に開口を設ける例を示したが、通気部をメッシュ素材で覆った開口や、切り込みで形成した弁から構成しても良い。以下、これらの構成の詳細について順次説明する。
【００２５】
図７は、本発明の他の実施形態に係る衛生マスクの全体概略図である。また、図８は、その通気部の断面模式図である。
【００２６】
これらの図に示すように、本実施形態の衛生マスク２０は、使用者の鼻孔及び口元を覆うマスク本体２１と、耳に掛けることによりマスク本体２１を使用者に固定するための耳掛け部２３と、マスク本体２１に形成される通気部２４とから構成される。
【００２７】
通気部２４は、図８に示すように開口が形成された不織布やガーゼ等のマスク素地２２Ａに、メッシュ素材２２Ｂを重ねて形成されている。このように開口をメッシュ素材２２Ｂで覆うことにより、通気性を維持したまま埃等の異物が衛生マスク２０内に入ることを防ぐことができる。
【００２８】
図９は、本発明のさらに他の実施形態に係る衛生マスクの全体概略図である。また、図１０は、その通気部の拡大模式図である。
【００２９】
これらの図に示すように、本実施形態の衛生マスク３０は、使用者の鼻孔及び口元を覆うマスク本体３１と、耳に掛けることによりマスク本体３１を使用者に固定するための耳掛け部３３と、マスク本体３１に形成される通気部３４とから構成される。
【００３０】
通気部３４は、図１０に示すようにマスク本体３１に切り込みを入れて形成された開口３５から形成される。切り出された切り込み部３６は、呼気で開き〔図１０（ｂ）〕吸気で閉じる〔図１０（ａ）〕弁として働く。このように、開口３５に簡易な弁を設けることにより、通気性を維持したまま埃等の異物が衛生マスク３０内に入ることを防ぐことができる。
【００３１】
なお図９及び図１０では切り込みの形状をＵ字状に図示しているが、そのほかにも様々な形状の切り込みが考えられる。図１１に切り込みの形状例を示す。図１１（ａ）は円状の切り込みから形成された通気部３４Ａ、図１１（ｂ）は矩形の切り込みから形成された通気部３４Ｂ、図１１（ｃ）はＶ字状の切り込みから形成された通気部３４Ｃ、図１１（ｄ）は括弧状の切り込みから形成された通気部３４Ｄである。
【００３２】
以上のように、本発明の衛生マスクによれば、非常に簡易な構成により眼鏡と共に着用した場合でも眼鏡レンズの曇りを有効に防止することができる。この効果は、着用後のズレや使用者の鼻梁の太細や高低などに関わらず発揮することができる。また、構成が単純でありコストを低く抑えることができるため、使い捨てでの利用も可能とする。さらに、使用者の鼻孔や口元近傍ではなくマスク本体の上辺中央部、即ち鼻と頬の段差部の近傍に通気部を設けることにより、衛生マスクとしての機能を維持したまま、眼鏡レンズの曇りを防止することができる。
【００３３】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００３４】
本発明は、人体の鼻孔及び口元を覆う衛生マスクに係り、特に、眼鏡と共に着用した場合に眼鏡レンズの曇りを防止することが可能な衛生マスクに関し、産業上の利用可能性を有する。
【符号の説明】
【００３５】
１０、１０Ａ、１０Ｂ、２０、３０    衛生マスク
１１、１１Ａ、１１Ｂ、１１Ｃ、１１Ｄ、２１、３１    マスク本体
１２、２２Ａ    マスク素地
１３、２３、３３    耳掛け部
１４、２４、３４、３４Ａ、３４Ｂ、３４Ｃ、３４Ｄ    通気部
１５    折り畳み線
２２Ｂ  メッシュ素材
３５    開口
３６    切り込み部
【図１】
2013172812.tif 000003
【図２】
2013172812.tif 000004
【図３】
2013172812.tif 000005
【図４】
2013172812.tif 000006
【図５】
2013172812.tif 000007
【図６】
2013172812.tif 000008
【図７】
2013172812.tif 000009
【図８】
2013172812.tif 000010
【図９】
2013172812.tif 000011
【図１０】
2013172812.tif 000012
【図１１】
2013172812.tif 000013